(57)【特許請求の範囲】
【請求項１】
一つの画面で多方向にそれぞれ異なる情報を同時表示できる表示手段と、
所定方向に表示する情報と別方向に表示している情報が同じか否かを判定する判定手段と、
同じ情報である場合に、どの方向の表示と共通であるかを前記表示手段に表示させる表示制御手段とを備えていることを特徴とする表示装置。
【請求項２】
見たい番組を選択できる番組チャンネル選択手段を備え、
前記判定手段は、前記番組チャンネル選択手段により選択された番組のチャンネルと、
別方向に表示されている番組のチャンネルで同一か否かを判定する請求項１に記載の表示装置。
【請求項３】
前記番組チャンネル選択手段は、ＥＰＧにより選択することを特徴とする請求項２に記載の表示装置。
【発明の詳細な説明】
【技術分野】
【０００１】
本発明は、１画面で多方向にそれぞれ別の情報を同時に表示できる表示装置に関するものである。特に、液晶パネル、プラズマ・ディスプレイ、有機ＥＬに適用可能であり、テレビジョン受信機、携帯電話、ＰＤＡ、パーソナルコンピュータ、カーナビゲーション等の表示部分に用いることができる。
【背景技術】
【０００２】
近年、１画面で左右２方向にそれぞれ別の情報を同時表示できる「デュアルビュー」と称される液晶表示装置が登場している(例えば、特許文献１を参照）。このデュアルビュー液晶表示装置は、液晶パネルの前面に視差バリアを設け、１ピクセルごとにバックライトからの光の進行方向を振り分けることで、左右に異なる情報を表示できる。視差バリアの配置などによっては、３画面以上を表示したり、上下方向に表示したりすることも可能である。
【０００３】
図４に、デュアルビュー液晶表示装置の原理図を示す。この液晶表示装置は、バックライト６１と、複数の画素ａ，ｂを有する液晶表示パネル６２と、パララックスバリア(光学系分離素子）６３と、をこの順に配置する構造である。パララックスバリア６３は、不透明領域によって隔てられる垂直な透光性スリット６４を複数有するスクリーンであり、液晶表示パネル６２の画素ａを透過したバックライト６１からの光が複数の透光性スリット６４を介して視聴者Ａ側に到達し、画素ｂを透過したバックライト６１からの光が複数の透光性スリット６４を介して視聴者Ｂ側に到達する。言い換えれば、液晶表示パネル６２に表示されるそれぞれ異なる映像の２つのビュー（デュアルビュー）は、パララックスバリア６３の複数の透光性スリット６４により、空間上の規定された領域からしか見えないようにしたものである。
【０００４】
また、このデュアルビュー液晶表示装置にあっては、画素ａ，ｂに同じ映像を表示すれば、どの方向からも同じ映像が見られる状態、すなわち、どの方向からでも共通の１つの映が表示されるシングルビューとなる。また、画素ａ，ｂを入れ替えて、画像を切り替えることも簡単に行える。
【特許文献１】２００５−２８４５９２号公報
【発明の開示】
【発明が解決しようとする課題】
【０００５】
しかしながら、デュアルビューの表示装置においては、例えば左右２方向にいる視聴者は、互いに相手が何を見ているか分からない。したがって、同時に同じ番組や情報を表示しているのに、全く気づくことなく視聴してしまうこともあり得る。スピーカから音声を出力していれば、同じ情報（映像）を見ていることに気づく可能性もあるが、互いの音に干渉されないようにヘッドホンを装着することもあり、全く気づかないこともあり得る。
同じ情報を見ていることが分かれば、シングルビューにしてスピーカから音を出した方が迫力ある音響効果が得られる可能性もあるし、シングルビューにすれば、同じ画像処理を複数並行に処理する必要がなく、装置の負担を低減できることにもなる。
【０００６】
本発明は、斯かる実情に鑑み、相手が同じ番組あるいは情報を見ている場合には、それを通知する機能を有する表示装置を提供しようとするものである。
【課題を解決するための手段】
【０００７】
本発明は、一つの画面で多方向にそれぞれ異なる情報を同時表示できる表示手段と、所定方向に表示する情報と別方向に表示している情報が同じか否かを判定する判定手段と、同じ情報である場合に、どの方向の表示と共通であるかを前記表示手段に表示させる表示制御手段とを備えていることを特徴とする表示装置である。
【０００８】
前記表示装置は、見たい番組を選択できる番組チャンネル選択手段を備え、前記判定手段は、前記番組チャンネル選択手段により選択された番組のチャンネルと、別方向に表示されている番組のチャンネルで同一か否かを判定する。
【０００９】
前記表示装置は、前記番組チャンネル選択手段が、ＥＰＧにより選択することを特徴とする。
【発明の効果】
【００１０】
本発明は、デュアルビューが可能な表示装置において、他方向に表示されている画像が見ようとしている画像と同じであれば、その旨を表示するので、視聴者は同一装置で同一画像を見ている別の視聴者が存在することが分かる。従って、場合によっては、装置負担が軽い、シングルビューに切り替えることが可能となる。
【発明を実施するための最良の形態】
【００１１】
以下、本発明の実施の形態を添付図面を参照して説明する。
【００１２】
図１は本発明に係る表示装置であるテレビジョン装置の一実施形態を示すブロック図である。
このテレビジョン装置１０は、アスペクト比９：１６の表示画面をもつ液晶パネルの表示部２１を備え、入力画像を表示する。入力画像は、地上波テレビ放送、ＣＡＴＶ、ＤＶＤ等のビデオ画像である。テレビ放送については、アンテナ３０を通じて受信し、Ｕ／Ｖチューナ１１，１２で所定のチャンネルの信号を抽出したり、ＥＰＧ(Electronic Program Guide）信号を抽出する。また、ＤＶＤ等からのビデオ信号は、入力端子１３，１４から入力される。
【００１３】
Ｕ／Ｖチューナ１１，１２から抽出したＥＰＧ信号はＥＰＧデコーダ１５で復号化する。そして、Ｕ／Ｖチューナ１１，１２を出力したビデオ信号をデコーダ１６で画像信号と音声信号に復号する。また、入力端子１３，１４から入力された信号はＡＶセレクタ１７で選択され、デコーダ１６で復号化される。そして、復号化された音声信号は音声処理部１８に送られて処理され、スピーカ１９から音声として出力される。また、復号化された画像信号は画像処理部２０に送られて表示画像が生成され、表示部２１に画像として表示される。
【００１４】
このテレビジョン装置の操作入力はリモコン３１Ａ，３１Ｂによって行う。ユーザである視聴者Ａ，Ｂがリモコン３１Ａ，３１Ｂのキーを押圧することにより、リモコン３１Ａ，３１Ｂは操作指示信号を赤外線に変換して発光する。テレビジョン装置１０の受光部２３が赤外線を受光して電気信号に変換し、制御部であるマイコン２２に送出する。マイコン２２は、操作指示信号に基づいて各部を制御する。
【００１５】
ここで、あらかじめＯＳＤ画像である文字データや画像データ、あるいは制御プログラム等がメモリ２４内のＲＯＭ２５に記憶されている。マイコン２２は、リモコン３１Ａ，３１ＢからＥＰＧ情報を表示する指示があれば、このＥＰＧに関するＯＳＤ画像を読み出して、画像処理部２０を介して表示部２１に表示する。
【００１６】
ここで、表示部２１は、従来技術で説明したような左右２方向にそれぞれ別の情報を同時表示できるデュアルビュー機能と、いずれかの情報を１つ表示するシングルビュー機能を有する。これらは、例えばリモコン３１Ａ，３１Ｂのビュー切り替えキー等によって切り替え可能となっている。
【００１７】
ここで、視聴者Ａ側に表示する画像データを第１画像データ、視聴者Ｂ側に表示する画像データを第２画像データとする。マイコン２２は、リモコン３１Ａ，３１Ｂのビュー切り替えキーの操作に応じて、第１画像データ及び第２画像データの両方を表示するデュアルビュー表示と、第１画像データ又は第２画像データのいずれか一方を表示するシングルビュー表示を行わせるように、画像処理部２０を制御する。また、視聴者Ａが視聴している映像と視聴者Ｂが視聴している映像とを入れ替えて逆転表示させることもリモコンの操作により可能となっている。
【００１８】
第１画像データ及び第２画像データは、テレビ受信における画像データであってもよいし、ビデオ、ＣＤ、ＤＶＤ等を再生する再生機器であるソース源からの画像データのいずれであってもよい。
【００１９】
表示部２１は、バックライト６１と、複数の画素ａ，ｂを有する液晶表示パネル６２と、パララックスバリア(光学系分離素子）６３と、をこの順に配置する構造であり、図４示した構造と同じであるので、その詳しい説明は省略する。
【００２０】
上述したデュアルビュー表示を行わせる場合には、たとえば液晶表示パネル６２の隣り合う画素を第１画像データ又は第２画像データに応じて駆動させればよい。言い換えれば、隣り合う画素は、互いに異なる画像データに応じて駆動される。なお、画素は１個おきに互いに異なる画像データに応じて駆動されるようにしてもよいし、２個おき、あるいは３個おき等のように複数個おきに駆動されるようにしてもよいことは勿論である。いずれにしてもパララックスバリア６３の透光性スリット６４の幅に応じて設定すればよい。
【００２１】
また、本実施形態では、デュアルビュー表示を行わせるために、複数の透光性スリットを有するパララックスバリアを用いた場合について説明したが、この例に限らず、液晶表示パネルのような液晶層を有し、その液晶層に印加される電界の強さに応じて複数の垂直なスリットが形成されるスリット形成手段を用いてもよい。この場合、デュアルビュー 表示の場合には、複数の垂直なスリットを出現させ、シングルビュー表示の場合には複数の垂直なスリットを消すようにすればよい。
【００２２】
これにより、図４で説明したように、パララックスバリア６３の複数の透光性スリット６４を通して見える光が空間上の規定された領域からしか見えないことになるため、たとえば視聴者Ａは第１画像データに応じた映像のみを視聴することができ、視聴者Ｂは第２画像データに応じた映像のみを視聴することができる。なお、それぞれの映像に応じた音声は、スピーカ１９から出力され、それぞれの視聴者Ａ，Ｂに混在して伝達されるが、たとえばそのスピーカ１９を超指向性を有するものとすることで、それぞれの視聴者Ａ，Ｂにそれぞれの映像に応じた音声のみを伝達させることは可能である。また、視聴者はスピーカではなく、ヘッドホンを用いて音声を聞くこともできる。
【００２３】
リモコン３１Ａ，３１Ｂのビュー切替えキーは、第１画像データ及び第２画像データに基づいたデュアルビュー表示又は第１画像データ及び第２画像データのいずれか一方に基づいたシングルビュー表示のいずれかを行わせる際に操作される。デュアルビュー表示又はシングルビュー表示の切り替えは、ビュー切替えキーを押す毎に切り替わるようにすることができる。この場合、ビュー切替えキーを押す毎に切り替わるような制御プログラムをメモリ２４のＲＯＭ２５の記憶媒体に格納しておき、マイコン２２によってその制御プログラムを読み込ませるようにすればよい。
【００２４】
映像逆転切替えキーもリモコン３１Ａ，３１Ｂに備えられており、上述したように、視聴者Ａが視聴している映像と視聴者Ｂが視聴している映像とを入れ替えて表示させる際に操作される。映像逆転切替え表示は、映像逆転切替えキーを押す毎に切り替わるようにすることができる。この場合、映像逆転切替えキーを押す毎に切り替わるような制御プログラムをＲＯＭ２５等の記憶媒体に格納しておき、マイコン２２によってその制御プログラムを読み込ませるようにすればよい。
【００２５】
なお、マイコン２２によって読み込まれる制御プログラムを変更することで、リモコン３１Ａ，３１Ｂのビュー切替えキーにより、デュアルビュー表示、シングルビュー表示、映像逆転切替え表示の３つのモードを選択させるようにすることも可能である。つまり、たとえばビュー切替えキーの操作に応じてデュアルビュー表示とシングルビュー表示との切り替えが行われるようにし、デュアルビュー表示のときにビュー切替えキーが、たとえば秒以上押された場合、映像の逆転表示が行われるようにすることができる。この場合、映像逆転切替えキーを省くことができる。
【００２６】
次に、上記した実施の形態の作動を説明する。図２はデュアルビュー表示の処理手順を示すフローチャートであり、図３はデュアルビュー表示の説明図である。
【００２７】
図３（ａ）に示すように、デュアルビューの表示部２１の向かって左側から見た表示画像を第１画像５１、右側から見た表示画像を第２画像５２とする。アンテナ３０から受信された信号は、Ｕ／Ｖチューナ１２により、４チャンネルの番組が抽出された信号がデコーダ１６において復号化されて画像処理部２０と音声処理部１８に送られる。画像処理部で画像を生成して、表示部２１に第２画像５２として表示する。従って、表示部２１の向かって右方向にいる視聴者Ｂは、第２画像５２として、４チャンネルのテレビ番組映像を見ることになる。そして、視聴者Ｂがリモコン３１Ｂをチャンネル表示を指示すれば、マイコン２２は、ＯＳＤ画像として「４ｃｈ」と言う文字５４のデータをＲＯＭ２５から呼び出して、画像処理部２０を介して第２画像５２の右上に表示する。
【００２８】
さて、表示部２１の向かって右側にいる視聴者Ａは、リモコン３１Ａを用いて、第１画像５１にＥＰＧ５３を表示させる指示をテレビジョン装置１０に送る。マイコン２２は、この指示信号を受光部２３を通じて受信すると、アンテナ３０から受信した信号からＵ／Ｖチューナ１１にＥＰＧ信号を抽出させ、ＥＰＧデコーダに復号化させる。そして、ＥＰＧの信号から番組表示のＯＳＤ画像をＲＯＭ２５から読み出して、画像処理部２０で表示画像を生成して表示部２１の第１画像５１としてＥＰＧの表５３を表示する(ステップＳ１）。
【００２９】
次に、視聴者Ａは、リモコン３１Ａを用いて、ＥＰＧ５３の表示から視聴したい番組を選択する(ステップＳ２）。このとき、マイコン２２は、受光部２３を介して受信した選択チャンネル５５の表示エリア５４を着色する。この場合は、視聴者Ａが選択チャンネルを識別しやすいようになっていればよく、文字と周囲のエリアを白黒反転したり、文字を斜体やフォントを変えたりしても良い。
【００３０】
次に、マイコン２２は、選択チャンネルと同じチャンネルの番組映像が第２画面５２で表示されているか否かを確認する(ステップＳ３）。この場合は、同一チャンネルであるか否かを検出すればよい。マイコン２２は、図３（ｃ）のように、第１画面５１と第２画面５２が同じチャンネルであった場合は、第１画面にその旨を示す「隣の画面で視聴中です」という文字画像５５をＲＯＭ２５から読み出し、画像処理部２０により第１画面５１に表示させる。(ステップＳ４）。視聴者Ａが選択したチャンネルが第２画面５２と別のチャンネルであれば、そのまま選択した画像を第１画像５１に表示する(ステップＳ５）。
【００３１】
「隣の画面で視聴中です」というコーションを表示された視聴者Ａは、視聴者Ｂが同じ番組を試聴していることを知れば、シングルビューに切り替えて、一緒に見ることも可能である。こうして、装置負担が軽い、シングルビューに切り替え、スピーカから同一映像の音声を出力し、迫力ある音と映像を楽しむことができる。また、視聴者Ａは、デュアルビュー表示のまま同一チャンネルの映像を選択することもできる。
【００３２】
この実施形態では、番組チャンネルでの同一画像を見ているかを判断しているが、例えば、インターネットからの配信映像の場合や、ＤＶＤレコーダからの映像の場合でも良い。その場合は、表示しようとする画像が同一であるか否かは、視聴者が選択した画像の情報と、別の視聴者が選択した画像情報から判別できる。
【００３３】
また、上記実施例では、左右２画面での場合を想定しているが、上下２画面でもよいし、３個以上の画面でもよい。画面数が増加した場合、どの画面（どの方向の表示）が同一画面を表示しているかをコーション表示して視聴者に知らせる。
【図面の簡単な説明】
【００３４】
【図１】本発明に係る表示装置であるテレビジョン装置の一実施形態を示すブロック図である。
【図２】デュアルビュー表示の処理手順を示すフローチャートである。
【図３】デュアルビュー表示の説明図である。
【図４】デュアルビュー液晶表示装置を示す原理図である。
【符号の説明】
【００３５】
１０  テレビジョン装置
１１，１２  Ｕ／Ｖチューナ
１３，１４  入力端子
１５  ＥＰＧデコーダ
１６  デコーダ
１７  ＡＶセレクタ
１８  音声処理部
１９  スピーカ
２０  画像処理部
２１  表示部
２２  マイコン
２３  受光部
２４  メモリ
３０  アンテナ
３１Ａ，３１Ｂ  リモコン
５１，５２  画像
５３  表
５４  文字
５４  表示エリア
５５  選択チャンネル
６１  バックライト
６２  液晶表示パネル
６３  パララックスバリア
６４  透光性スリットａ
【図１】
0004762755.tif 000002
【図２】
0004762755.tif 000003
【図３】
0004762755.tif 000004
【図４】
0004762755.tif 000005